(57)【要約】【課題】変換処理が施された場合であっても、含まれている文字を視認することが可能な重畳用の画像を生成することができる表示装置の提供。【解決手段】重畳部１８は、映像デコーダ１４から入力された映像信号に基づく映像に、ＯＳＤ生成部１５が生成した番組表画像を重畳する。解像度変換部１９は、重畳部１８が番組表画像を重畳した映像に、解像度を変換する変換処理を施す。解像度変換部１９が変換処理を施した映像は表示部２１によって表示される。ＣＰＵ２５は、解像度変換部１９が施す変換処理の内容を検知し、ＯＳＤ生成部１５は、文字を含んでおり、含まれる文字の大きさが、ＣＰＵ２５によって検知された内容に対応してある番組表画像を生成する。【選択図】図１
2014093538.tif 000002
【特許請求の範囲】
【請求項１】
映像信号に基づく映像に画像を重畳する重畳部と、該重畳部が画像を重畳した映像に、解像度を変換する変換処理を施す変換部とを備え、該変換部が変換処理を施した映像を表示する表示装置において、
前記変換部が施す変換処理の内容を検知する検知手段と、
文字を含んでおり、含まれる文字の大きさが、前記検知手段が検知した内容に対応してある画像を生成する生成部と
を備え、
前記重畳部は、前記映像信号に基づく映像に、前記生成部が生成した画像を重畳するように構成してあること
を特徴とする表示装置。
【請求項２】
前記生成部は、前記検知手段が検知した内容に映像の輪郭を強調する強調処理が含まれる場合、含まれる第１文字の大きさが、前記検知手段が検知した内容に前記強調処理が含まれない場合に生成する画像に含まれて前記第１文字に対応する第２文字の大きさよりも大きい画像を生成するように構成してあること
を特徴とする請求項１に記載の表示装置。
【請求項３】
前記生成部が生成する画像は電子番組表を示す画像であること
を特徴とする請求項１又は請求項２に記載の表示装置。
【請求項４】
前記変換処理は、前記解像度を高め、前記映像信号に基づく映像に前記生成部が生成した画像を重畳した映像の画素を補間する画素補間処理であること
を特徴とする請求項１から請求項３のいずれ１つに記載の表示装置。
【請求項５】
前記映像信号に基づく映像は、テレビジョン放送に基づく映像であること
を特徴とする請求項１から請求項４のいずれか１つに記載の表示装置。
【発明の詳細な説明】
【技術分野】
【０００１】
本発明は、画像を生成し、生成した画像を映像信号に基づく映像に重畳し、画像を重畳した映像を表示する表示装置に関する。
【背景技術】
【０００２】
液晶パネル又はプラズマディスプレイパネル等の大型の表示パネルに高解像度の映像を表示することが可能な表示装置の中には、自身が表示する映像の解像度が、外部から取得した映像信号に基づく映像の解像度と異なる場合、映像信号に基づく映像に、解像度を変換する変換処理を施し、変換処理を施した映像を表示する表示装置がある。
【０００３】
また、映像信号に基づく映像に、電子番組表又は気象情報等を示す画像を重畳し、該画像を重畳した映像を表示する表示装置が普及している。電子番組表又は気象情報等を示す画像には、一般的に多くの文字が含まれている。
【０００４】
映像に変換処理を施す機能と、映像に画像を重畳する機能とを有する表示装置として、電子番組表又は気象情報等を示す画像を重畳した映像に変換処理を施す表示装置がある。この表示装置では、文字を含む画像が重畳された映像に変換処理が施される。
【０００５】
文字を含む画像が重畳された映像に変換処理を施した場合、変換処理の内容によっては映像に雑音が発生し画質が劣化する。例えば、変換処理に、隣り合う色のコントラストを大きくすることによって映像の輪郭を強調する強調処理が含まれる場合、映像に含まれる文字が潰れたり、滲んだりする。
【０００６】
特許文献１には、変換処理による文字の潰れ及び滲みを抑制することができる重畳用の画像を生成する表示装置が開示されている。この表示装置では、文字と該文字の背景とのコントラスト比が９５％以下となる重畳用の画像を生成し、生成した画像を映像に重畳し、該画像を重畳した映像を表示する。
【０００７】
このため、変換処理に強調処理が含まれる場合であっても、コントラスト比に少なくとも５％の余裕があるので、変換処理による文字の潰れ又は滲みは抑制される。
【先行技術文献】
【特許文献】
【０００８】
【特許文献１】特開２０１０−１３０６４３号公報
【発明の概要】
【発明が解決しようとする課題】
【０００９】
しかしながら、特許文献１に記載の表示装置では、変換処理による文字の潰れ又は滲みを完全になくすことはできない。このため、特許文献１に記載の表示装置には、重畳用の画像に含まれる文字の大きさが小さい場合、変換処理による文字の潰れ又は滲みによって、映像に含まれる文字を視認することができないという問題点がある。
【００１０】
本発明は斯かる事情に鑑みてなされたものであり、その目的とするところは、変換処理が施された場合であっても、含まれている文字を視認することが可能な重畳用の画像を生成することができる表示装置を提供することにある。
【課題を解決するための手段】
【００１１】
本発明に係る表示装置は、映像信号に基づく映像に画像を重畳する重畳部と、該重畳部が画像を重畳した映像に、解像度を変換する変換処理を施す変換部とを備え、該変換部が変換処理を施した映像を表示する表示装置において、前記変換部が施す変換処理の内容を検知する検知手段と、文字を含んでおり、含まれる文字の大きさが、前記検知手段が検知した内容に対応してある画像を生成する生成部とを備え、前記重畳部は、前記映像信号に基づく映像に、前記生成部が生成した画像を重畳するように構成してあることを特徴とする。
【００１２】
本発明に係る表示装置は、前記生成部は、前記検知手段が検知した内容に映像の輪郭を強調する強調処理が含まれる場合、含まれる第１文字の大きさが、前記検知手段が検知した内容に前記強調処理が含まれない場合に生成する画像に含まれて前記第１文字に対応する第２文字の大きさよりも大きい画像を生成するように構成してあることを特徴とする。
【００１３】
本発明に係る表示装置は、前記生成部が生成する画像は電子番組表を示す画像であることを特徴とする。
【００１４】
本発明に係る表示装置は、前記変換処理は、前記解像度を高め、前記映像信号に基づく映像に前記生成部が生成した画像を重畳した映像の画素を補間する画素補間処理であることを特徴とする。
【００１５】
本発明に係る表示装置は、前記映像信号に基づく映像は、テレビジョン放送に基づく映像であることを特徴とする。
【発明の効果】
【００１６】
本発明によれば、重畳用の画像に含まれる文字の大きさが変換処理の内容に対応するので、変換処理が施された場合であっても、含まれている文字を視認することが可能な重畳用の画像を生成することができる。
【図面の簡単な説明】
【００１７】
【図１】実施の形態１におけるテレビジョン受信機の要部構成を示すブロック図である。
【図２】受光部が表示指示を受け付けた場合にＣＰＵが行う表示処理の手順を示すフローチャートである。
【図３】変換処理に強調処理が含まれない場合にＯＳＤ生成部が生成する番組表画像である。
【図４】変換処理に強調処理が含まれる場合にＯＳＤ生成部が生成する番組表画像である。
【図５】実施の形態２におけるテレビジョン受信機の要部構成を示すブロック図である。
【発明を実施するための形態】
【００１８】
以下、本発明をその実施の形態を示す図面に基づいて詳述する。本発明をテレビジョン受信機に適用した場合を例として説明する。この場合、テレビジョン受信機は表示装置として機能する。
（実施の形態１）
図１は実施の形態１におけるテレビジョン受信機の要部構成を示すブロック図である。このテレビジョン受信機１は、チューナ部１０、復調部１１、分離部１２、音声デコーダ１３、映像デコーダ１４、ＯＳＤ（On Screen Display）生成部１５、Ｄ／Ａ（Digital／Analog）変換部１６，２０、スピーカ１７、重畳部１８、解像度変換部１９、表示部２１、選局部２２、受光部２３、記憶部２４、ＣＰＵ（Central Processing Unit）２５、ＲＯＭ（Read Only Memory）２６及びＲＡＭ（Random Access Memory）２７を備える。
【００１９】
チューナ部１０はアンテナＡ及び復調部１１夫々に接続し、分離部１２は、復調部１１、音声デコーダ１３、映像デコーダ１４及びＯＳＤ生成部１５夫々に接続している。Ｄ／Ａ変換部１６は、音声デコーダ１３及びスピーカ１７夫々に接続している。重畳部１８は、映像デコーダ１４、ＯＳＤ生成部１５及び解像度変換部１９夫々に接続している。Ｄ／Ａ変換部２０は、解像度変換部１９及び表示部２１夫々に接続している。
【００２０】
ＣＰＵ２５は、バス２８を介してＯＳＤ生成部１５、解像度変換部１９、選局部２２、受光部２３、記憶部２４、ＲＯＭ２６及びＲＡＭ２７夫々に接続している。
【００２１】
チューナ部１０は、アンテナＡが受信したテレビジョン放送に基づく放送信号の中から選局部２２が指示した周波数帯域に対応する放送信号を選択し、選択した放送信号を復調部１１に出力する。
【００２２】
復調部１１は、チューナ部１０から入力された放送信号をＴＳ（Transport Stream）信号に復調し、復調したＴＳ信号を分離部１２に出力する。
分離部１２は、復調部１１から入力されたＴＳ信号から、映像を表示するための映像信号と、音声を出力するための音声信号と、電子番組表を生成するための番組情報とを分離する。分離部１２は、分離した音声信号を音声デコーダ１３に、分離した映像信号を映像デコーダ１４に、分離した番組情報をＯＳＤ生成部１５に出力する。
ここで、分離部１２がＴＳ信号から分離した映像信号に基づく映像は、テレビジョン放送に基づく映像である。
【００２３】
音声デコーダ１３は、分離部１２から入力された音声信号を復号化し、復号化した音声信号をＤ／Ａ変換部１６に出力する。
Ｄ／Ａ変換部１６は、音声デコーダ１３から入力されたデジタルの音声信号をアナログの音声信号に変換し、変換したアナログの音声信号をスピーカ１７に出力する。
スピーカ１７は、Ｄ／Ａ変換部１６から入力されたアナログの音声信号に基づく音声を出力する。
【００２４】
映像デコーダ１４は、分離部１２から入力された映像信号を復号化し、復号化した映像信号を重畳部１８に出力する。
ＯＳＤ生成部１５は、ＣＰＵ２５から電子番組表を示す番組表画像を生成することを指示された場合、ＣＰＵ２５から指示された設定で、分離部１２から入力された番組情報に基づく番組表画像を生成し、生成した番組表画像に基づく番組表画像信号を重畳部１８に出力する。ＯＳＤ生成部１５が生成する番組表画像には文字が含まれている。
【００２５】
ＯＳＤ生成部１５は、番組表画像を生成する場合に、ＣＰＵ２５から設定Ａ又はＢの指示を受け付ける。設定Ａは、８つのチャンネル夫々の１４時間分の番組情報を含んで文字の大きさが小さい番組表画像を生成する設定であり、設定Ｂは、４つのチャンネル夫々の１０時間分の番組情報を含んで文字の大きさが大きい番組表画像を生成する設定である。
【００２６】
重畳部１８は、ＯＳＤ生成部１５から入力された番組表画像信号に基づく番組表画像、即ち、ＯＳＤ生成部１５が生成した番組表画像を、映像デコーダ１４から入力された映像信号に基づく映像に重畳し、番組表画像を重畳した映像に基づく映像信号を解像度変換部１９に出力する。
重畳部１８は、ＯＳＤ生成部１５から番組表画像信号が入力されていない場合、映像デコーダ１４から入力された映像信号をそのまま解像度変換部１９に出力する。
【００２７】
解像度変換部１９は、重畳部１８から入力された映像信号に基づく映像に解像度を変換する変換処理を施す。このため、解像度変換部１９は、番組表画像信号がＯＳＤ生成部１５から重畳部１８に入力されている場合、重畳部１８が番組表画像を重畳した映像に変換処理を施す。解像度変換部１９は変換部として機能する。
【００２８】
具体的に、変換処理は、解像度を高め、重畳部１８から入力された映像信号に基づく映像の画素を補間する画素補間処理である。従って、番組表画像信号がＯＳＤ生成部１５から重畳部１８に入力されている場合においては、変換処理は、映像デコーダ１４から重畳部１８に入力された映像信号に基づく映像に、ＯＳＤ生成部１５が生成した番組表画像を重畳した画像の画素を補間する画素補間処理である。
【００２９】
解像度変換部１９は、変換処理を施すことによって、解像度を例えば、横１９２０画素×縦１０８０画素から横３８４０画素×縦２１６０画素に変換する。
【００３０】
解像度変換部１９は、重畳部１８から入力された映像信号に基づく映像の輪郭（エッジ）を、隣り合った色のコントラスト比を大きくすることによって強調する強調処理の実施又は停止をＣＰＵ２５によって指示される。解像度変換部１９は、ＣＰＵ２５によって強調処理の実施を指示されている場合、強調処理を含む変換処理を、重畳部１８から入力された映像信号に基づく映像に施す。この場合、解像度変換部１９は、強調処理を含む変換処理を施した映像に基づく映像信号をＤ／Ａ変換部２０に出力する。
【００３１】
解像度変換部１９は、ＣＰＵ２５から強調処理の停止を指示されている場合、重畳部１８から入力された映像信号に基づく映像に、強調処理を含まない変換処理を施し、該変換処理を施した映像に基づく映像信号をＤ／Ａ変換部２０に出力する。
【００３２】
Ｄ／Ａ変換部２０は、解像度変換部１９から入力されたデジタルの映像信号をアナログの映像信号に変換し、変換したアナログの映像信号を表示部２１に出力する。
表示部２１は、Ｄ／Ａ変換部２０から入力された映像信号に基づく映像を表示する。このように、表示部２１は、解像度変換部１９が変換処理を施した映像を表示する。
【００３３】
選局部２２は、ＣＰＵ２５によって指示された放送チャンネルに対応する周波数帯域をチューナ部１０に指示する。
受光部２３は、リモートコントローラ３から赤外線信号を受光することによって、アンテナＡが受信した放送信号の中から特定の放送チャンネルを選択することを指示する選択指示、及び、番組表画像の表示を指示する表示指示を受け付ける。
【００３４】
更に、受光部２３は、リモートコントローラ３から赤外線信号を受光することによって、解像度変換部１９による強調処理の実施を指示する実施指示、及び、解像度変換１９による強調処理の停止を指示する停止指示を受け付ける。
【００３５】
受光部２３は、リモートコントローラ３から選択指示、表示指示、実施指示又は停止指示を受け付けた場合、受け付けた選択指示、表示指示、実施指示又は停止指示をＣＰＵ２５に通知する。
【００３６】
記憶部２４は、フラッシュメモリ又はＥＥＰＲＯＭ（Electrically Erasable and Programmable Read Only Memory）等を用いてなり、記憶部２４の記憶内容はＣＰＵ２５によって書き換え可能に構成されている。
【００３７】
記憶部２４は、ＯＳＤ生成部１５が番組表画像を生成する場合にＣＰＵ２５によって指示される設定Ａ，Ｂを記憶している。更に、記憶部２４は、解像度変換部１９に強調処理を実施するか否かの設定内容、即ち、解像度変換部１９によって施される変換処理の内容も記憶している。記憶部２４の記憶内容はＣＰＵ２５によって読み出される。
【００３８】
ＣＰＵ２５は、ＲＯＭ２６に記憶してあるプログラムをＲＡＭ２７に読み出し、読み出したプログラムを実行することによって、ＯＳＤ生成部１５、解像度変換部１９及び選局部２２の動作を制御する。
【００３９】
ＣＰＵ２５は、受光部２３が選択指示を受け付けた場合、選択指示に従って特定の放送チャンネルを選択するように選局部２２に指示する。ＣＰＵ２５は、受光部２３が実施指示を受け付けた場合、強調処理を実施するか否かの設定内容を「実施」に書き換え、受光部２３が停止指示を受け付けた場合、強調処理を実施するか否かの設定内容を「停止」に書き換える。
【００４０】
ＣＰＵ２５は、受光部２３が表示指示を受け付けた場合、記憶部２４の記憶内容を参照することによって強調処理を実施するか否かの設定内容を検知し、検知した設定内容に基づいて、番組表画像を重畳した映像を表示部２１に表示される表示処理を行う。
【００４１】
図２は、受光部２３が表示指示を受け付けた場合にＣＰＵ２５が行う表示処理の手順を示すフローチャートである。ＣＰＵ２５は、受光部２３が表示指示を受け付けた場合、記憶部２４に記憶してある記憶内容を参照することによって、解像度変換部１９が強調処理を実施するか否かの設定内容、即ち、解像度変換部１９による変換処理の内容を検知する（ステップＳ１）。ＣＰＵ２５は検知手段として機能する。
【００４２】
次に、ＣＰＵ２５は、解像度変換部１９が強調処理を実施する設定であるか否かを判定する（ステップＳ２）。ここで、ＣＰＵ２５は、ステップＳ１で検知した設定内容が「実施」である場合、強調処理を実施する設定であると判定し、ステップＳ１で検知した設定内容が「停止」である場合、強調処理を実施する設定ではないと判定する。
【００４３】
ＣＰＵ２５は、強調処理を実施する設定ではないと判定した場合（ステップＳ２：ＮＯ）、ＯＳＤ生成部１５に指示して、記憶部２４に記憶してある設定Ａで番組表画像を生成させる（ステップＳ３）。
【００４４】
図３は、変換処理に強調処理が含まれない場合にＯＳＤ生成部１５が生成する番組表画像である。図３には、ＯＳＤ生成部１５が設定Ａで生成した番組表画像が示されている。この番組表画像には、８つのチャンネル１，２，・・・，８夫々の１４時間分の電子番組表が示されており、小さな文字で各番組の内容が示されている。
【００４５】
ＣＰＵ２５は、ステップＳ３を実行した後、解像度変換部１９に強調処理の停止を指示する（ステップＳ４）。
ＣＰＵ２５がステップＳ３，Ｓ４を実行した場合、重畳部１８は、映像デコーダ１４から入力された映像信号に基づく映像に、図３に示す番組表画像を重畳し、番組表画像が重畳された映像は、解像度変換部１９によって、強調処理を含まない変換処理が施された後に表示部２１によって表示される。
【００４６】
図３に示す番組表画像が重畳された映像には強調処理が施されないため、番組表画像に含まれている文字の大きさが小さい場合であっても、文字が潰れたり、滲んだりすることなく、番組表画像が重畳された映像に含まれている文字を視認することができる。また、図３に示す番組表画像には、多くの番組の内容が示されており、一覧性に優れている。
【００４７】
ＣＰＵ２５は、強調処理を実施する設定であると判定した場合（ステップＳ２：ＹＥＳ）、ＯＳＤ生成部１５に指示して、記憶部２４に記憶してある設定Ｂで番組表画像を生成させる（ステップＳ５）。
【００４８】
図４は、変換処理に強調処理が含む場合にＯＳＤ生成部１５が生成する番組表画像である。図４には、ＯＳＤ生成部１５が設定Ｂで生成した番組表画像が示されている。この番組表画像には、５つのチャンネル１，２，・・・，５夫々の１０時間分の電子番組表が示されており、大きな文字で各番組の内容が示されている。
【００４９】
ここで、ＯＳＤ生成部１５によって設定Ｂで生成された番組表画像に含まれている文字は、ＯＳＤ生成部１５によって設定Ａで生成された番組表画像に含まれて前記文字に対応する文字よりも大きい。例えば、設定Ｂで生成された番組表画像に含まれている文字「チャンネル１」は、設定Ａで生成された番組表画像に含まれている文字「チャンネル１」よりも大きい。
なお、設定Ａ，Ｂ夫々で生成された番組表画像に含まれている文字は、第２及び第１文字に該当する。
【００５０】
ステップＳ３，Ｓ５で説明したように、文字を含んでおり、映像デコーダ１４から入力された映像信号に基づく映像に重畳されて変換処理が施される番組表画像をＯＳＤ生成部１５は生成する。
【００５１】
ＣＰＵ２５は、ステップＳ５を実行した後、解像度変換部１９に強調処理の実施を指示する（ステップＳ６）。
ＣＰＵ２５がステップＳ５，Ｓ６を実行した場合、重畳部１８は、映像デコーダ１４から入力された映像信号に基づく映像に、図４に示す番組表画像を重畳し、番組表画像が重畳された映像は、解像度変換部１９によって、強調処理を含む変換処理が施された後に表示部２１によって表示される。
【００５２】
図４に示す番組表画像に含まれる文字は大きいため、図４に示す番組表画像が重畳されて強調処理を含む変換処理が施された映像において、文字を視認することができる。
ＣＰＵ２５は、ステップＳ４又はＳ６を実行した後、処理を終了する。
【００５３】
以上のように構成されたテレビジョン受信機１では、ＯＳＤ生成部１５は、ＣＰＵ２５が検知した変換処理の内容に強調処理が含む場合に設定Ａで番組表画像を生成し、ＣＰＵ２５が検知した変換処理の内容に強調処理が含まない場合に設定Ｂで番組表画像を生成する。そして、設定Ａ，Ｂ夫々で生成された番組表画像に含まれる文字の大きさは異なる。このように、ＯＳＤ生成部１５は、生成部として機能し、含まれる文字の大きさがＣＰＵ２５によって検知された変換処理の内容に対応してある番組表画像を生成する。
【００５４】
従って、ＯＳＤ生成部１５は、変換処理が施された場合であっても、含まれている文字を視認することが可能な重畳用の画像を生成することができる。
ＯＳＤ生成部１５が電子番組表を示す番組表画像を生成する場合、番組表画像に多くの文字が含まれるため、前述の効果は大きい。
【００５５】
また、ＯＳＤ生成部１５は、ＣＰＵ２５によって検知された変換処理の内容に強調処理が含まれる場合、含まれる文字の大きさが、ＣＰＵ２５によって検知された変換処理の内容に強調処理が含まれない場合に生成する番組表画像に含まれて、該文字に対応する文字の大きさよりも大きい画像を生成する。従って、文字を含む番組表画像が重畳された映像において、変換処理が施された後であっても文字を確実に視認することができる。
【００５６】
（実施の形態２）
図５は実施の形態２におけるテレビジョン受信機の要部構成を示すブロック図である。実施の形態１と同様の部分については、同一の符号を付して説明を省略する。
【００５７】
実施の形態２におけるテレビジョン受信機４は、実施の形態１におけるテレビジョン受信機１が備える構成部に加えて、ＵＳＢ（Universal Serial Bus）インタフェース４０を備える。ＵＳＢインタフェース４０は、バス２８を介してＣＰＵ２５に接続してある。
【００５８】
ＵＳＢインタフェース４０は、可搬型の記録媒体５に接続可能に構成されている。可搬型の記録媒体５には、解像度変換部１９によって施される変換処理の内容を検知するステップ、及び、含まれる文字の大きさが変換処理の内容に対応してある番組表画像を生成するステップ等をコンピュータに実行させるコンピュータプログラム５０が記憶されている。記録媒体５は例えばＵＳＢメモリである。
【００５９】
ＣＰＵ２５は、ＵＳＢインタフェース４０を介して記録媒体５に記憶されているコンピュータプログラム５０を読み出して、読み出したコンピュータプログラム５０を実行する。これにより、テレビジョン受信機４は、実施の形態１におけるテレビジョン受信機１と同様に動作する。
【００６０】
なお、実施の形態１及び２において、設定Ａは８チャンネル夫々の１４時間分の番組情報を含む番組表画像を生成する設定に限定されず、設定Ｂは４チャンネル夫々の１０時間分の番組情報を含む番組表画像を生成する設定に限定されない。設定Ｂで生成される番組表画像に含まれる文字の大きさが、設定Ａで生成される番組表画像に含まれて、該文字に対応する文字の大きさよりも大きければよい。
【００６１】
また、重畳部１８は、ＯＳＤ生成部１５から入力された番組表画像信号に基づく番組表画像、即ち、ＯＳＤ生成部１５が生成した番組表画像を、映像デコーダ１４から入力された映像信号に基づく映像全体に重畳しなくてもよく、番組表画像を映像信号に基づく映像の一部に重畳してもよい。
【００６２】
解像度変換部１９が強調処理を実施するか否かの設定内容、即ち、解像度変換部１９による変換処理の内容を検知する方法は、記憶部２４に設定内容を記憶しておき、記憶部２４に記憶してある記憶内容を参照する方法に限定されない。例えば、解像度変換部１９は、変換処理の内容を示す情報を所定期間ごとにＣＰＵ２５に送信し、ＣＰＵ２５は解像度変換部１９から受信した情報に基づいて変換処理の内容を検知してもよい。
【００６３】
また、解像度変換部１９が施す変換処理は、解像度を高め、重畳部１８から入力された映像信号に基づく映像の画素を補間する画素補間処理に限定されず、例えば、解像度を低下させる処理であってもよい。
【００６４】
また、ＯＳＤ生成部１５が生成する番組表画像に含まれている文字の大きさは、解像度変換部１９が実施する変換処理に強調処理が含まれるか否かに対応しなくてもよい。
【００６５】
例えば、記憶部２４に強調処理を実施するか否かの設定ではなく、強調処理で強調するコントラスト比の強弱のレベルの設定が記憶されており、解像度変換部１９は、設定してあるコントラスト比のレベルで強調処理を実施する。ＣＰＵ２５は、記憶部２４を参照することによって、強調処理で強調するコントラスト比のレベルを検知し、ＯＳＤ生成部１５は、含まれる文字の大きさが、ＣＰＵ２５が検知したレベルに対応してある番組表画像を生成してもよい。一例として、ＯＳＤ生成部１５は、ＣＰＵ２５は検知したレベルが強い程、含まれる文字の大きさが大きい番組表画像を生成してもよい。
【００６６】
このとき、強調処理で強調されるコントラスト比のレベルが強い程、文字の潰れ又は滲みが大きくなるため、ＯＳＤ生成部１５は、変換処理が施された場合であっても、含まれている文字を視認することが可能な重畳用の画像を生成することができる。
ここで、ＣＰＵ２５は、記憶部２４に記憶されているコントラスト比の強弱のレベルの設定を、リモートコントローラ３から受光部２３が受け付けた指示に基づいて書き換えられるように構成されてもよい。
【００６７】
更に、解像度変換部１９が解像度を低下させる変換処理を実施する場合にも、番組表画像が重畳された映像において文字の潰れ又は滲みが発生する。従って、ＯＳＤ生成部１５が生成する番組表画像に含まれている文字の大きさを、例えば、変換処理が実施された後の映像の解像度の高低に応じて小大に変更してもよい。
この場合においても、ＯＳＤ生成部１５は、変換処理が施された場合であっても、含まれている文字を視認することが可能な重畳用の画像を生成することができる。
【００６８】
ＯＳＤ生成部１５が生成した番組表画像を重畳する映像は、テレビジョン放送に基づく映像に限定されず、例えば、ネットワークから取得した映像信号に基づく映像であってもよい。
【００６９】
また、ＯＳＤ生成部１５が生成する画像は、番組表画像に限定されず、文字を含む画像であればよい。
ＯＳＤ生成部１５が生成する画像に設定メニューが表示されている場合、ＯＳＤ生成部１５は、含まれる文字の大きさが変換処理の内容に対応してある画像を生成するとき、設定メニューの設定項目の項目数を変更して文字の大きさを変更してもよい。例えば、ＯＳＤ生成部１５が、含まれる文字の大きさが大きい画像を生成する場合、設定項目の項目数を少なくして文字を大きくする。
【００７０】
同様に、ＯＳＤ生成部１５が生成する画像に制御パネルが表示されている場合、ＯＳＤ生成部１５は、含まれる文字の大きさが変換処理の内容に対応してある画像を生成するとき、制御パネルの制御ボタン数を変更して文字の大きさを変更してもよい。例えば、ＯＳＤ生成部１５が、含まれる文字の大きさが大きい画像を生成する場合、制御パネルの制御ボタン数を少なくして文字を大きくする。
【００７１】
また、実施の形態１及び２では、本発明をテレビジョン受信機に適用した場合を例にして説明したが、本発明については、映像及び音声に関する動作を行うテレビジョン受信機以外の表示装置にも適用することができる。
【００７２】
本発明に係る表示装置（１，４）は、映像信号に基づく映像に画像を重畳する重畳部（１８）と、該重畳部（１８）が画像を重畳した映像に、解像度を変換する変換処理を施す変換部（１９）とを備え、該変換部（１９）が変換処理を施した映像を表示する表示装置（１，４）において、前記変換部（１９）が施す変換処理の内容を検知する検知手段（２５）と、文字を含んでおり、含まれる文字の大きさが、前記検知手段（２５）が検知した内容に対応してある画像を生成する生成部（１５）とを備え、前記重畳部（１８）は、前記映像信号に基づく映像に、前記生成部（１５）が生成した画像を重畳するように構成してあることを特徴とする。
【００７３】
本発明に係る生成方法は、文字を含んでおり、映像信号に基づく映像に重畳されて解像度を変更する変換処理が施される画像を生成する生成方法において、前記変換処理の内容を検知し、含まれる文字の大きさが、検知した内容に対応してある前記画像を生成することを特徴とする。
【００７４】
本発明に係るコンピュータプログラム（５０）は、文字を含んでおり、映像信号に基づく映像に重畳されて解像度を変更する変換処理が施される画像をコンピュータ（４）に生成させるコンピュータプログラム（５０）において、コンピュータ（４）に、前記変換処理の内容を検知させ、コンピュータ（４）に、含まれる文字の大きさが、検知した内容に対応してある前記画像を生成させることを特徴とする。
【００７５】
本発明にあっては、後で施される変換処理の内容を検知し、文字を含んでおり、含まれる文字の大きさが、検知した内容に対応してある画像を生成する。生成された画像は、映像信号に基づく映像に重畳されて、画像が重畳された映像には変換処理が施される。
【００７６】
従って、例えば、後に施される変換処理の内容に文字の潰れ又は滲みを発生させる処理が含まれている場合、映像に重畳する画像に含まれる文字を大きさが所定値以上の文字にする。これにより、変換処理が施された場合であっても、文字が大きいため、含まれている文字を視認することが可能な重畳用の画像を生成することができる。
【００７７】
本発明に係る表示装置（１，４）は、前記生成部（１５）は、前記検知手段（２５）が検知した内容に映像の輪郭を強調する強調処理が含まれる場合、含まれる第１文字の大きさが、前記検知手段（２５）が検知した内容に前記強調処理が含まれない場合に生成する画像に含まれて前記第１文字に対応する第２文字の大きさよりも大きい画像を生成するように構成してあることを特徴とする。
【００７８】
本発明にあっては、生成部が生成する画像に含まれる文字は、検知手段（２５）が検知した変換処理の内容に映像の輪郭を強調する強調処理が含まれるか否かに対応する。生成部（１５）は、検知手段（２５）が検知した変換処理の内容に強調処理が含まれる場合、含まれる文字の大きさが、検知手段（２５）が検知した変換処理の内容に強調処理が含まれない場合に生成する画像に含まれて前記文字に対応する文字の大きさよりも大きい画像を生成する。
【００７９】
従って、強調処理を含む変換処理によって映像に含まれる文字に潰れ又は滲みが発生する可能性が高い場合、生成部（１５）が生成する画像に含まれる文字は大きい。これにより、文字を含む画像が重畳された映像において、変換処理が施された後であっても文字を確実に視認することができる。
【００８０】
本発明に係る表示装置（１，４）は、前記生成部（１５）が生成する画像は電子番組表を示す画像であることを特徴とする。
【００８１】
本発明にあっては、生成部は電子番組表を示す画像を生成し、映像信号に基づく映像に電子番組表を示す画像が重畳された映像に変換処理が施される。電子番組表を示す画像には多くの文字が含まれているため、生成部（１５）が生成する画像に含まれる文字の大きさが、検知手段（２５）が検知した変換処理の内容に対応していることによって得られる効果は大きい。
【００８２】
本発明に係る表示装置（１，４）は、前記変換処理は、前記解像度を高め、前記映像信号に基づく映像に前記生成部が生成した画像を重畳した映像の画素を補間する画素補間処理であることを特徴とする。
【００８３】
本発明にあっては、映像信号に基づく映像に画像を重畳した映像に、解像度を高めて画素を補間する画素補間処理を施し、画素補間処理を施した映像を表示する。
【００８４】
本発明に係る表示装置（１，４）は、前記映像信号に基づく映像は、テレビジョン放送に基づく映像であることを特徴とする。
【００８５】
本発明にあっては、テレビジョン放送に基づく映像に画像が重畳された映像に変換処理を施した映像を表示する。
【符号の説明】
【００８６】
１，４  テレビジョン受信機
１５  ＯＳＤ生成部
１８  重畳部
１９  解像度変換部
２５  ＣＰＵ
５０  コンピュータプログラム
【図１】
2014093538.tif 000003
【図２】
2014093538.tif 000004
【図３】
2014093538.tif 000005
【図４】
2014093538.tif 000006
【図５】
2014093538.tif 000007